(57)【要約】【課題】収容容器の容器本体の開口部に塗布物質の掻き取り部を備えた中栓を装着せずに、開口縁部やその周辺が塗布物質で汚れることなく、塗布体に付着した余分な塗布物質を掻き取ることができるようにすることによって、対象物に適用するのに適した量の塗布物質が塗布体に付着するようにした塗布物質の収容容器を提供すること。【解決手段】塗布物質の収容容器の容器本体１の口頸部１１の内部に内側に突出する突壁１３を備え、この突壁１３を塗布体３に付着した余分な塗布物質の掻き取り部にする。【選択図】図２
2017035344.tif 000002
【特許請求の範囲】
【請求項１】
塗布物質の収容容器において、収容容器の容器本体の口頸部の内部に内側に突出する突壁を備え、該突壁を塗布体に付着した余分な塗布物質の掻き取り部としたことを特徴とする塗布物質の収容容器。
【請求項２】
前記容器本体を、ブロー成形によって成形してなることを特徴とする請求項１記載の塗布物質の収容容器。
【発明の詳細な説明】
【技術分野】
【０００１】
本発明は、マスカラ、アイライナー、クリーム、リップグロス等の化粧料やニス等の塗料等の液状、クリーム状、パウダー状の塗布物質（本明細書において、「塗布物質」という。）を収容し、収容した塗布物質を、筆、ブラシ、刷毛等の塗布体を用いて対象物に適用することができるようにするための塗布物質の収容容器に関するものである。
【背景技術】
【０００２】
従来、この種の塗布物質の収容容器においては、収容容器に収容した塗布物質に、筆、ブラシ、刷毛等の塗布体を浸すことによって、塗布体に塗布物質を付着させ、塗布体を収容容器から取り出す際に、塗布体に付着した余分な塗布物質を収容容器の容器本体の開口縁部で掻き取ることによって、対象物に適用するのに適した量の塗布物質が塗布体に付着するようにしていた。
【０００３】
しかしながら、塗布物質を容器本体の開口縁部で掻き取るようにすると、開口縁部やその周辺が塗布物質で汚れ、これにより、手を汚したり、収容容器に蓋をする際の支障になるという問題があった。
【０００４】
この問題に対処するために、収容容器の容器本体の開口部に塗布物質の掻き取り部を備えた中栓を装着することによって、塗布体に付着した余分な塗布物質を掻き取るようにした塗布物質の収容容器が提案され、実用化されている（例えば、特許文献１〜３参照。）。
【先行技術文献】
【特許文献】
【０００５】
【特許文献１】特開２０１０−２０７５６０号公報
【特許文献２】特開２００２−２６３５５７号公報
【特許文献３】実開平７−９７５７号公報
【発明の概要】
【発明が解決しようとする課題】
【０００６】
ところで、上記のように、収容容器の容器本体の開口部に塗布物質の掻き取り部を備えた中栓を装着した場合、操作性や作業性が悪くなったり、低下するという問題があった。
【０００７】
また、中栓を用いるためその分コストが上昇するとともに、例えば、収容容器の容器本体が、寸法精度が比較的良くないブロー成形によって成形したものである場合には、中栓が使用途中で脱落することがないように設計する必要があった。
【０００８】
本発明は、上記従来の塗布物質の収容容器の有する問題点に鑑み、収容容器の容器本体の開口部に塗布物質の掻き取り部を備えた中栓を装着せずに、開口縁部やその周辺が塗布物質で汚れることなく、塗布体に付着した余分な塗布物質を掻き取ることができるようにすることによって、対象物に適用するのに適した量の塗布物質が塗布体に付着するようにした塗布物質の収容容器を提供することを第１の目的とする。
【０００９】
また、本発明は、塗布体に付着した余分な塗布物質を掻き取ることができる収容容器の容器本体にブロー成形によって成形したものを用いることができるようにした塗布物質の収容容器を提供することを第２の目的とする。
【課題を解決するための手段】
【００１０】
上記第１の目的を達成するため、本発明の塗布物質の収容容器は、塗布物質の収容容器において、収容容器の容器本体の口頸部の内部に内側に突出する突壁を備え、該突壁を塗布体に付着した余分な塗布物質の掻き取り部としたことを特徴とする。
【００１１】
また、上記第２の目的を達成するため、本発明の塗布物質の収容容器は、前記容器本体を、ブロー成形によって成形してなることを特徴とする。
【発明の効果】
【００１２】
本発明の塗布物質の収容容器によれば、収容容器の容器本体の口頸部の内部に内側に突出する突壁を備え、該突壁を塗布体に付着した余分な塗布物質の掻き取り部とすることができ、これによって、開口縁部やその周辺が塗布物質で汚れることなく、塗布体に付着した余分な塗布物質を掻き取ることができ、対象物に適用するのに適した量の塗布物質が塗布体に付着するようにすることができる。
また、中栓を装着する必要がないため、中栓を用いることによる操作性や作業性が悪くなったり、低下するという問題がなく、また、収容容器の製造コストを低廉にすることができる。
【００１３】
また、中栓を装着する必要がないため、容器本体に、寸法精度が比較的良くないブロー成形によって成形したものを用いることができ、容器本体の製造方法の多様化を図ることができ、また、収容容器の製造コストを低廉にすることができる。
【図面の簡単な説明】
【００１４】
【図１】本発明の塗布物質の収容容器の一実施例を示す全体図である。
【図２】同塗布物質の収容容器の容器本体を示し、（ａ）は平面図、（ｂ）は正面断面図、（ｃ）は（ａ）のＸ−Ｘ断面図である。
【発明を実施するための形態】
【００１５】
以下、本発明の塗布物質の収容容器の実施の形態を、図面に基づいて説明する。
【００１６】
図１〜図２に、本発明の塗布物質の収容容器の一実施例を示す。
この塗布物質の収容容器は、塗布物質として液状の化粧料を収容し、収容した塗布物質を、蓋体２に一体に取り付けた塗布体３を用いて対象物に適用することができるようにしたもので、塗布物質の収容容器の容器本体１の口頸部１１の内部に内側に突出する突壁１３を備え、この突壁１３を塗布体３に付着した余分な塗布物質の掻き取り部としたものである。
【００１７】
この場合において、容器本体１は、収容する塗布物質に応じて、合成樹脂のほか、金属で形成することができる。
【００１８】
突壁１３は、口頸部１１の内部の任意の位置に、１箇所又は２箇所以上の複数箇所（必要に応じて、高さ位置を異ならせて）、さらには、周状に連続させて形成することができるが、本実施例のように、口頸部１１の内部に対向するように２箇所形成することによって、塗布体３の容器本体１への出し入れが行いやすく、また、容器本体１の方向を気にせずに、塗布体３に付着した余分な塗布物質の掻き取りを円滑に行うことができ、好ましい。
【００１９】
また、突壁１３は、容器本体１の開口縁部１２から離れた口頸部１１の中間より下方位置、口頸部１１にねじ部１４を備える場合は、ねじ部１４の下方位置に形成することが好ましい。
【００２０】
また、突壁１３を構成する上面及び下面は、水平に形成することもできるが、掻き取られた塗布物質が突壁１３の壁面を伝って円滑に流れ落ちるように、傾斜面に形成することが好ましい。
上面及び下面の水平面に対する傾斜角度は、１０〜８０度、好ましくは、２０〜７０度程度とし、本実施例のように、上面よりも下面の傾斜角度を大きく設定することが好ましい。
【００２１】
この塗布物質の収容容器は、これによって、容器本体１の開口縁部１２やその周辺が塗布物質で汚れることなく、塗布体に付着した余分な塗布物質を掻き取ることができ、対象物に適用するのに適した量の塗布物質が塗布体に付着するようにすることができる。
また、従来の塗布物質の収容容器のように、中栓を装着する必要がないため、中栓を用いることによる操作性や作業性が悪くなったり、低下するという問題がなく、また、収容容器の製造コストを低廉にすることができる。
【００２２】
ところで、この塗布物質の収容容器は、本実施例では、ブロー成形による合成樹脂で形成しているが、このほか、射出成形によっても製造することができる。
【００２３】
この塗布物質の収容容器は、従来の塗布物質の収容容器のように、中栓を装着する必要がないため、容器本体１に、寸法精度が比較的良くないブロー成形によって成形したものを用いることができ、容器本体１の製造方法の多様化を図ることができ、また、収容容器の製造コストを低廉にすることができる。
【００２４】
以上、本発明の塗布物質の収容容器について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の塗布物質の収容容器は、収容容器の容器本体の開口部に塗布物質の掻き取り部を備えた中栓を装着せずに、開口縁部やその周辺が塗布物質で汚れることなく、塗布体に付着した余分な塗布物質を掻き取ることができるようにすることによって、対象物に適用するのに適した量の塗布物質が塗布体に付着するようにできることから、化粧料や塗料等の液状、クリーム状、パウダー状の塗布物質を収容し、収容した塗布物質を、筆、ブラシ、刷毛等の塗布体を用いて対象物に適用することができるようにするための塗布物質の収容容器の用途に好適に用いることができる。
【符号の説明】
【００２６】
１  容器本体
１１  口頸部
１２  開口縁部
１３  突壁（掻き取り部）
１４  ねじ部
２  蓋体
３  塗布体
【図１】
2017035344.tif 000003
【図２】
2017035344.tif 000004